(57)【要約】【課題】サブ電源装置が発振状態になってしまうことのない充電装置を提供することにある。【解決手段】直流電源電圧によって二次電池１２を充電するメイン電源装置２０と、このメイン電源装置２０に並列接続されるとともに、直流電源電圧によって二次電池１２を充電するサブ電源装置３０,４０,５０とを備え、メイン電源装置２０は、二次電池１２の電圧が予め設定された第１の設定電圧Ｖｂ以下のとき定電流制御で充電を行い、第１の設定電圧Ｖｂより大きくなったとき定電圧制御で充電を行い、サブ電源装置３０,４０,５０は、二次電池１２の電圧が第１の設定電圧Ｖｂより低い予め設定された第２の設定電圧Ｖｃ,Ｖｄ,Ｖｅより大きくなったとき充電を停止する。【選択図】図２
2014197961.tif 000002
【特許請求の範囲】
【請求項１】
電源電圧によって二次電池を充電するメイン電源装置と、このメイン電源装置に並列接続されるとともに、前記電源電圧によって前記二次電池を充電するサブ電源装置とを備え、
前記メイン電源装置は、前記二次電池の電圧が予め設定された第１の設定電圧以下のとき定電流制御で充電を行い、第１の設定電圧より大きくなったとき定電圧制御で充電を行い、
前記サブ電源装置は、前記二次電池の電圧が第１の設定電圧より低い予め設定された第２の設定電圧より大きくなったとき充電を停止することを特徴とする充電装置。
【請求項２】
前記サブ電源装置は、複数有し、各サブ電源装置の第２の設定電圧はそれぞれ異なることを特徴とする請求項１に記載の充電装置。
【請求項３】
前記メイン電源装置は、二次電池を定電圧制御で充電する電圧制御回路と、二次電池を定電流制御で充電する電流制御回路と、二次電池の電圧を検出する監視回路と、この監視回路が検出した電圧に基づいて前記電圧制御回路と電流制御回路のどちらか一方を動作させるコントローラとを有し、
前記コントローラは、監視回路が検出する検出電圧が第１の設定電圧以下のとき電流制御回路を動作させ、第１の設定電圧より大きくなったとき電圧制御回路を動作させることを特徴とする請求項１または請求項２に記載の充電装置。
【請求項４】
前記サブ電源装置は、二次電池を定電流制御で充電する電流制御回路と、二次電池の電圧に基づいて電流制御回路を動作させたりその動作を停止させたりするサブコントローラとを有し、該サブコントローラは、二次電池の電圧が予め設定された第２の設定電圧以下のとき前記電流制御回路を動作させ、第２の設定電圧より大きくなったとき電流制御回路の動作を停止させることを特徴とする請求項３に記載の充電装置。
【請求項５】
前記各サブ電源装置は、二次電池を定電圧で充電する電圧制御回路と、二次電池の電圧を検出する監視回路と、サブ電源装置による充電が停止された際にその停止状態を所定時間保持するラッチ回路とを有し、前記電流制御回路と電圧制御回路とのどちからを動作させるかを任意に設定でき、前記サブコントローラは、監視回路が検出する電圧が第２の設定電圧より大きいとき前記電流制御回路または電圧制御回路の動作を停止させることを特徴とする請求項４に記載の充電装置。
【発明の詳細な説明】
【技術分野】
【０００１】
この発明は、例えば二次電池を充電する充電装置に関する。
【背景技術】
【０００２】
従来から、マスタ充電器と、このマスタ充電器に並列接続したスレーブ充電器とを備えた充電装置が知られている（特許文献１参照）。
【０００３】
かかる充電装置は、マスタ充電器が交流電流を直流電流に変換してマスタ出力電流として出力してバッテリを充電していくものである。スレーブ充電器も交流電流を直流電流に変換してスレーブ出力電流として出力してバッテリを充電していく。
【０００４】
この充電装置によれば、充電によってバッテリ電圧が所定電圧に達したとき、定電流制御から定電圧制御に切り換わり、マスタ充電器及びスレーブ充電器から出力されるマスタ出力電流及びスレーブ出力電流を減少させていく。最終的にはマスタ充電器のみでバッテリを充電していくことにより、バッテリを満充電するようにしたものである。
【発明の概要】
【発明が解決しようとする課題】
【０００５】
ところで、このような充電装置にあっては、出力電流に基づきマスタ充電器がスレーブ充電器を制御するため、複雑なコントローラが必要となる問題があった。
【０００６】
この発明の目的は、簡単な構成で高精度の充電を行える充電装置を提供することにある。
【課題を解決するための手段】
【０００７】
請求項１の発明は、電源電圧によって二次電池を充電するメイン電源装置と、このメイン電源装置に並列接続されるとともに、前記電源電圧によって前記二次電池を充電するサブ電源装置とを備え、
前記メイン電源装置は、前記二次電池の電圧が予め設定された第１の設定電圧以下のとき定電流制御で充電を行い、第１の設定電圧より大きくなったとき定電圧制御で充電を行い、
前記サブ電源装置は、前記二次電池の電圧が第１の設定電圧より低い予め設定された第２の設定電圧より大きくなったとき充電を停止することを特徴とする。
【発明の効果】
【０００８】
この発明によれば、簡単な構成で高精度の充電を行うことができる。
【図面の簡単な説明】
【０００９】
【図１】この発明に係る充電装置の構成を示したブロック図である。
【図２】図１に示す充電装置を構成した各電源装置の構成を示すブロック図である。
【図３】電池監視回路の構成を具体的に示した回路図である。
【図４】充電装置の動作を示したフロー図である。
【図５】各電源装置の設定電圧と各電源装置の電流と二次電池の電圧との関係を示したグラフである。
【図６】第２実施例の電池監視回路の構成を示した回路図である。
【発明を実施するための形態】
【００１０】
以下、この発明に係る充電装置の実施の形態である実施例を図面に基づいて説明する。
【実施例】
【００１１】
［第１実施例］
図１に充電装置１０の構成を示す。この充電装置１０は、例えば交流電圧を整流して平滑する入力部１１から出力される整流平滑電圧（直流電源電圧）よって二次電池１２を充電していくものである。入力部１１は、整流平滑回路であるが、交流電圧を所定の直流電圧に変換するアダプタなどであってもよい。二次電池１２は充電可能なバッテリやキャパシタである。
【００１２】
充電装置１０は、メイン電源装置２０と、メイン電源装置２０に並列接続された複数の第１,第２,第３サブ電源装置３０,４０,５０とを備えている。
［メイン電源装置］
メイン電源装置２０は、図２に示すように、二次電池１２を一定電圧で充電していく電圧制御回路２１と、二次電池を一定電流で充電していく電流制御回路２２と、二次電池１２の電圧を検出する電池監視回路２３と、この電池監視回路２３が検出した電圧に基づいて電圧制御回路２１及び電流制御回路２２の動作を制御するコントローラ２４と、ラッチ回路（発振防止手段）２５とを有している。
［電池監視回路２３］
電池監視回路２３は、図３に示すように、直列接続された抵抗Ｒ１,Ｒ２と、この抵抗Ｒ２に直列接続された抵抗群２３Ｒと、コンパレータ２７などとを有している。抵抗Ｒ１の一方の端子は接地され、抵抗Ｒ２の他方の端子は抵抗群２３Ｒの一方の端子に接続されている。また抵抗群２３Ｒの他方の端子には図示しない直流電源の直流電圧Ｖｃｃが印加するようになっている。
【００１３】
抵抗Ｒ１と抵抗Ｒ２との接続点Ａにコンパレータ２７の反転入力端子が接続され、コンパレータ２７の非反転入力端子が二次電池１２の電圧が入力するようになっている。
【００１４】
抵抗Ｒ１と抵抗Ｒ２との接続点Ａの電圧が基準電圧（設定電圧）としてコンパレータ２７の反転入力端子に入力し、コンパレータ２７は、この基準電圧と二次電池１２の電圧とを比較して、二次電池１２の電圧が基準電圧以上のときＨレベルの信号を出力し、基準電圧より小さいときＬレベル信号を出力するようになっている。
【００１５】
抵抗群２３Ｒは、直列接続された複数の抵抗Ｒｎ１〜Ｒｎ４と、各抵抗Ｒｎ１〜Ｒｎ４に並列接続されたヒューズｆ１〜ｆ４とを有し、このうちの任意のヒューズｆ１〜ｆ４をレーザ光により切断することにより、基準電圧の値を任意に設定することができるようになっている。ここでは、基準電圧として設定電圧（第１の設定電圧）Ｖｂが設定されているものとする。
【００１６】
また、電池監視回路２３は、設定電圧Ｖａ（＞Ｖｂ）を設定するための上記と同様な回路を有しており、この回路は二次電池１２の電圧が基準電圧Ｖａ以上になったときＨレベルの信号を出力する。
［コントローラ２４］］
コントローラ２４は、電池監視回路２３が検出した検出電圧が予め設定した設定電圧Ｖｂより小さいとき電流制御回路２２を動作させ、設定電圧Ｖｂ以上のとき電流制御回路２２の動作を停止させて電圧制御回路２１を動作させる。また、コントローラ２４は、電池監視回路２３が検出した検出電圧が予め設定した設定電圧Ｖａ（＞Ｖｂ）以上のとき電圧制御回路２１の動作を停止させる。
［ラッチ回路２５］
ラッチ回路２５は、コントローラ２４が電流制御回路２２の動作を停止させるとともに電圧制御回路２１を動作させたとき、電流制御回路２２の動作の停止と電圧制御回路２１の動作の状態を所定時間保持するものである。すなわち、ラッチ回路２５は、電流制御回路２２から電圧制御回路２１に動作が切り換わったとき、コンパレータ２７から出力されるＨレベルの信号を所定時間保持して、この所定時間の間に電圧制御回路２１から電流制御回路２２へ動作が再度切り換わってしまうのを防止するものである。
［第１サブ電源装置］
第１サブ電源装置３０は、二次電池１２を一定電圧で充電していく電圧制御回路３１と、二次電池１２を一定電流で充電していく電流制御回路３２と、二次電池１２の電圧を検出する電池監視回路３３と、この電池監視回路３３が検出した電圧に基づいて電圧制御回路３１及び電流制御回路３２の動作を制御するコントローラ（サブコントローラ）３４と、ラッチ回路（発振防止手段）３５とを有している。
【００１７】
この実施例では、電流制御回路３２のみを動作させるが、電圧制御回路３１のみを動作するようにしてもよく、どちらでも動作できるように任意に設定できるようになっている。第２,第３サブ電源装置４０,５０も同様なのでその説明は省略する。
［電池監視回路３３］
電池監視回路３３は、図３と同様な回路で構成され、コンパレータ２７の反端入力端子に基準電圧である設定電圧（充電停止電圧）Ｖｃ（＜Ｖｂ）が入力するよう所望のヒューズｆ１〜ｆ４が切断されている。
【００１８】
電池監視回路３３は、二次電池１２の電圧が設定電圧（第２の設定電圧）Ｖｃより低いときＬレベルの信号を出力し、設定電圧Ｖｃ以上になるとＨレベルの信号を出力する。
［コントローラ３４］
コントローラ３４は、電池監視回路３３が検出した検出電圧が予め設定した設定電圧Ｖｃ（＜Ｖｂ）より小さいとき電流制御回路３２を動作させ、設定電圧Ｖｃ以上のとき電流制御回路３２の動作を停止させる。すなわち、コントローラ３４は、電池監視回路３３からＬレベルの信号が出力されているとき電流制御回路３２を動作させ、Ｈレベルの信号が出力されると電流制御回路３２の動作を停止させる。
［ラッチ回路３５］
ラッチ回路３５は、電池監視回路３３がＨレベルの信号を出力したとき、このＨレベルの信号を所定時間保持して、電流制御回路３２の動作の停止を所定時間維持させるものである。
［第２サブ電源装置］
第２サブ電源装置４０は、二次電池１２を一定電圧で充電していく電圧制御回路４１と、二次電池１２を一定電流で充電していく電流制御回路４２と、二次電池１２の電圧を検出する電池監視回路４３と、この電池監視回路４３が検出した電圧に基づいて電圧制御回路４１及び電流制御回路４２の動作を制御するコントローラ（サブコントローラ）４４と、ラッチ回路（発振防止手段）４５とを有している。
［電池監視回路４３］
電池監視回路４３は、二次電池１２の電圧が設定電圧（第２の設定電圧）Ｖｄ（＜Ｖｃ）より低いときＬレベルの信号を出力し、設定電圧Ｖｄ以上になるとＨレベルの信号を出力する。電池監視回路４３は、電池監視回路３３と同様な構成なので、その詳細な説明は省略する。
［コントローラ４４］
コントローラ４４は、電池監視回路４３が検出した検出電圧が予め設定した設定電圧Ｖｄより小さいとき電流制御回路４２を動作させ、設定電圧Ｖｄ以上のとき電流制御回路４２の動作を停止させる。すなわち、コントローラ４４は、電池監視回路４３からＬレベルの信号が出力されているとき電流制御回路４２を動作させ、Ｈレベルの信号が出力されると電流制御回路４２の動作を停止させる。
［ラッチ回路４５］
ラッチ回路４５は、電池監視回路４３がＨレベルの信号を出力したとき、このＨレベルの信号を所定時間保持して、電流制御回路４２の動作の停止を所定時間維持させるものである。
［第３サブ電源装置］
第３サブ電源装置５０は、二次電池１２を一定電圧で充電していく電圧制御回路５１と、二次電池１２を一定電流で充電していく電流制御回路５２と、二次電池１２の電圧を検出する電池監視回路５３と、この電池監視回路５３が検出した電圧に基づいて電圧制御回路５１及び電流制御回路５２の動作を制御するコントローラ（サブコントローラ）５４と、ラッチ回路（発振防止手段）５５とを有している。
［電池監視回路５３］
電池監視回路５３は、二次電池１２の電圧が設定電圧（充電停止電圧）Ｖｅ（＜Ｖｄ）より低いときＬレベルの信号を出力し、設定電圧（第２の設定電圧）Ｖｅ以上になるとＨレベルの信号を出力する。電池監視回路５３は、電池監視回路３３と同様な構成なので、その詳細な説明は省略する。
［コントローラ５４］
コントローラ５４は、電池監視回路５３が検出した検出電圧が予め設定した設定電圧Ｖｅより小さいとき電流制御回路５２を動作させ、設定電圧Ｖｅ以上のとき電流制御回路５２の動作を停止させる。すなわち、コントローラ５４は、電池監視回路５３からＬレベルの信号が出力されているとき電流制御回路５２を動作させ、Ｈレベルの信号が出力されると電流制御回路５２の動作を停止させる。
［ラッチ回路５５］
ラッチ回路５５は、電池監視回路５３がＨレベルの信号を出力したとき、このＨレベルの信号を所定時間保持して、電流制御回路５２の動作の停止を所定時間維持させるものである。
［動  作］
次に、上記のように構成される充電装置１０の動作を図４に示すフロー図を参照しながら説明する。なお、二次電池１２は放電されて、電池残量が僅かな場合で、このときの二次電池１２の電圧はＶ０（＜Ｖｅ）として説明していく。
【００１９】
ステップ１では、充電装置１０のメイン電源装置２０と第１,第２,第３サブ電源装置３０,４０,５０とによって二次電池１２の充電が行われる。すなわち、メイン電源装置２０の電流制御回路２２が動作されて一定電流で二次電池１２の充電が行われていくとともに、第１,第２,第３サブ電源装置３０,４０,５０の電流制御回路３２,４２,５２が動作されて一定電流で二次電池１２の充電が行われる。つまり、図５のグラフに示すように、時点ｔ１で４つの電源装置２０〜５０によって二次電池１２の充電が開始される。４つの電源装置２０〜５０によって二次電池１２が充電されていくので、高速充電が可能となる。この充電により二次電池１２の電圧は時間の経過とともに上昇していくことなる。
【００２０】
ステップ２では、充電によって二次電池１２の電圧が設定電圧Ｖｅになったか否かが判断される。ノーであればステップ２へ戻り、二次電池１２の電圧がＶｅになるまで、ステップ２の処理は繰り返し行われることになる。二次電池１２の電圧がＶｅになると、第３サブ電源装置５０の電池監視回路５３からＨレベルの信号が出力され、ステップ２でイエスと判断されてステップ３へ進む。
【００２１】
ステップ３では、コントローラ５４は電池監視回路５３から出力されるＨレベルの信号により電流制御回路５２の動作を停止させて、第３サブ電源装置５０による充電を停止する（図５の時点ｔ２）。また、ラッチ回路５５によって電池監視回路５３から出力されたＨレベルの信号が所定時間保持される。
【００２２】
電流制御回路５２の動作の停止により、二次電池１２に充電される電流は減少し、この結果、二次電池１２の電圧は内部抵抗により設定電圧Ｖｅより一時的に低下する場合がある。しかし、ラッチ回路５５によりＨレベルの信号が所定時間保持されるので、コントローラ５４は電流制御回路５２を動作させてしまうことはない。このため、第３サブ電源装置５０が充電停止と充電開始とが交互に繰り返し行われる発振状態となることが防止される。すなわち、第３サブ電源装置５０は安定することになる。
【００２３】
ステップ４では、メイン電源装置２０と第１,第２サブ電源装置３０,４０とによって二次電池１２の充電が引き続き行われることになる。
【００２４】
ステップ５では、充電により二次電池１２の電圧が設定電圧Ｖｄになったか否かが判断される。ノーであればステップ５へ戻り、二次電池１２の電圧がＶｄになるまで、ステップ５の処理は繰り返し行われることになる。二次電池１２の電圧がＶｄになると、第２サブ電源装置４０の電池監視回路４３からＨレベルの信号が出力され、ステップ５でイエスと判断されてステップ６へ進む。
【００２５】
ステップ６では、コントローラ４４は電池監視回路４３から出力されるＨレベルの信号により電流制御回路４２の動作を停止させて、第２サブ電源装置４０による充電を停止する（図５の時点ｔ３）。また、ラッチ回路４５によって電池監視回路４３から出力されたＨレベルの信号が所定時間保持される。
【００２６】
電流制御回路４２の動作の停止により、二次電池１２に充電される電流は減少し、上記と同様に、二次電池１２の電圧は内部抵抗により設定電圧Ｖｄより一時的に低下する場合がある。しかし、ラッチ回路４５によりＨレベルの信号が所定時間保持されるので、コントローラ４４は電流制御回路４２を動作させてしまうことはない。このため、第２サブ電源装置４０が充電停止と充電開始とが交互に繰り返し行われる発振状態となることが防止される。すなわち、第２サブ電源装置４０は安定することになる。
【００２７】
ステップ７では、メイン電源装置２０と第１サブ電源装置３０とによって二次電池１２の充電が引き続き行われることになる。
【００２８】
ステップ８では、充電により二次電池１２の電圧が設定電圧Ｖｃになったか否かが判断される。ノーであればステップ８へ戻り、二次電池１２の電圧がＶｃになるまで、ステップ８の処理は繰り返し行われることになる。二次電池１２の電圧がＶｃになると、第１サブ電源装置３０の電池監視回路３３からＨレベルの信号が出力され、ステップ８でイエスと判断されてステップ９へ進む。
【００２９】
ステップ９では、コントローラ３４は電池監視回路３３から出力されるＨレベルの信号により電流制御回路３２の動作を停止させて、第１サブ電源装置３０による充電を停止する（図５の時点ｔ４）。また、ラッチ回路３５によって電池監視回路３３から出力されたＨレベルの信号が所定時間保持される。
【００３０】
電流制御回路３２の動作の停止により、二次電池１２に充電される電流は減少し、上記と同様に、二次電池１２の電圧は内部抵抗により設定電圧Ｖｃより一時的に低下する場合がある。しかし、ラッチ回路３５によりＨレベルの信号が所定時間保持されるので、コントローラ３４は電流制御回路３２を動作させてしまうことはない。このため、第１サブ電源装置３０が充電停止と充電開始とが交互に繰り返し行われる発振状態となることが防止される。すなわち、第１サブ電源装置３０は安定することになる。
【００３１】
ステップ１０では、メイン電源装置２０のみによって二次電池１２の充電が引き続き行われることになる。
【００３２】
ステップ１１では、充電により二次電池１２の電圧が設定電圧Ｖｂになったか否かが判断される。ノーであればステップ１１へ戻り、二次電池１２の電圧がＶｂになるまで、ステップ１１の処理は繰り返し行われることになる。二次電池１２の電圧がＶｂになると、メイン電源装置２０の電池監視回路２３からＨレベルの信号が出力され、ステップ１１でイエスと判断されてステップ１２へ進む。
【００３３】
ステップ１２では、コントローラ２４は電流制御回路２２の動作を停止させるとともに電圧制御回路２１を動作させる（図５の時点ｔ５）。
【００３４】
また、メイン電源装置２０のラッチ回路２５は、電流制御回路２２から電圧制御回路２１に動作が切り換わったとき、コンパレータ２７から出力されるＨレベルの信号を所定時間保持して、この所定時間の間に電圧制御回路２１から電流制御回路２２へ動作が再度切り換わってしまうのを防止する。このため、電圧制御回路２１及び電流制御回路２２は安定することになる。
【００３５】
ステップ１３では、充電により二次電池１２の電圧が設定電圧Ｖａになったか否かが判断される。ノーであればステップ１３へ戻り、二次電池１２の電圧がＶａになるまで、ステップ１３の処理は繰り返し行われることになる。
このステップ１３の処理動作のとき、電圧制御回路２１による二次電池１２の充電電流は、図５のグラフＧ１に示すように、減少させていくことができ、二次電池１２を精度よく充電することができ、満充電させることができる。しかも、サブ電源装置３０〜５０は、メイン電源装置２０の設定電圧Ｖｂより低い設定電圧Ｖｃ〜Ｖｅを設定するだけなので、サブ電源装置３０〜５０すなわち充電装置１０の構成は簡単なものとなる。
【００３６】
充電により、二次電池１２の電圧が設定電圧Ｖａになると、ステップ１３ではイエスと判断されて電圧制御回路２１はコントローラ２４によってその動作が停止される。
【００３７】
このように、各時点ｔ２〜ｔ５で各電源装置５０〜２０の電流制御回路５２〜２２の動作が停止することによって各電源装置５０〜２０の発振状態が防止されるので、お互いに干渉しあって各電源装置５０〜２０が不安定になってしまうことが防止される。また、メイン電源装置２０と複数の第１〜第３サブ電源装置３０〜５０とによって二次電池１２の充電を行っているので、高速充電が可能であり、しかも各電源装置２０〜５０の容量を小さくできるので、安価なしかも小型軽量化を図ることができる充電装置を提供することができる。
［第２実施例］  
図６は第１サブ電源装置３０の電池監視回路３３の第２実施例を示す。この第２実施例の電池監視回路１３３は、抵抗Ｒ２ａに直列に抵抗Ｒ３を介在させ、この抵抗Ｒ３に並列にスイッチ素子Ｑ１を接続したものである。抵抗Ｒ１ａ,Ｒ２ａと抵抗Ｒ３などとで基準電圧（充電停止電圧）Ｖｃを設定し、二次電池１２の電圧がＶｃを越えたとき、スイッチ素子Ｑ１を所定時間だけコントローラ２４によって導通させて、基準電圧Ｖｃを基準電圧Ｖｃ′（＜Ｖｃ）に低下させる。この基準電圧Ｖｃと基準電圧（充電開始電圧）Ｖｃ′との間がヒステリシスとなっている。
【００３８】
これにより、電流制御回路３２の充電動作が停止して、再度電流制御回路３２が動作してしまうことが防止される。そして、抵抗Ｒ３とスイッチ素子Ｑ１とで発振防止手段が構成されることになる。
【００３９】
このため、第２実施例の第１サブ電源装置３０ではラッチ回路３５は不要となる。
【００４０】
同様に、第２,第３サブ電源装置４０,５０の電池監視回路４３,５３に上記の抵抗Ｒ３とスイッチ素子Ｑ１を設けることにより、第２,第３サブ電源装置４０,５０のラッチ回路３５〜５５は不要となる。
【００４１】
同様に、メイン電源装置２０の電池監視回路２３にも抵抗Ｒ３とスイッチ素子Ｑ１を設けることにより、ラッチ回路２５は不要となる。
【００４２】
上記実施例では、３つのサブ電源装置３０〜５０を設けているが、１つでもよく、その数はいくつでもよい。また、サブ電源装置３０〜５０は、電流制御回路３２〜５２で充電を行うようにしているが、電圧制御回路３１〜５１で充電を行うようにしてもよい。
【００４３】
また、３つのサブ電源装置３０〜５０の動作を段階的に停止させているが、メイン電源装置２０よりも早く動作が停止すれば、設定電圧を同じにすることによりサブ電源装置３０〜５０を同時に動作を停止させるようにしてもよい。
【００４４】
この発明は、上記実施例に限られるものではなく、特許請求の範囲の発明の要旨を逸脱しない限り、設計の変更や追加等は許容される。
【符号の説明】
【００４５】
１０            充電装置
２０            メイン電源装置
２１            電圧制御回路
２２            電流制御回路
２３            電池監視回路
３０            第１サブ電源装置
３１            電圧制御回路
３２            電流制御回路
３３            電池監視回路
３５            ラッチ回路（発振防止手段）
４０            第２サブ電源装置
４１            電圧制御回路
４２            電流制御回路
４３            電池監視回路
４５            ラッチ回路（発振防止手段）
５０            第３サブ電源装置
５１            電圧制御回路
５２            電流制御回路
５３            電池監視回路
５５            ラッチ回路（発振防止手段）
【先行技術文献】
【特許文献】
【００４６】
【特許文献１】特開２０１１−１７６９５９号公報
【図１】
2014197961.tif 000003
【図２】
2014197961.tif 000004
【図３】
2014197961.tif 000005
【図４】
2014197961.tif 000006
【図５】
2014197961.tif 000007
【図６】
2014197961.tif 000008